(57)【要約】【課題】耐圧構造の分岐水栓が取り付けられていないキッチンにも、工事をすることなく簡単に設置できる食器洗い機を提供する。【解決手段】食器類９を収納し洗浄する洗浄槽１７を内設した食器洗い機本体１と、洗浄槽１７への給水を制御する電磁給水弁３と、電磁給水弁３と水道管（図示せず）とを接続して洗浄槽２に洗浄水を供給する給水ホース２０とを有し、給水ホース２０の水道管側先端に電磁給水弁３への制御信号で動作する給水ポンプ２３を取付け可能とし、給水ポンプ２３に制御信号を送るための制御信号接続部２４を食器洗い機本体１に設けたもので、給水ポンプ２３を、給水ホース２０先端に取付け、制御信号接続部２４に接続するだけで、洗浄、すすぎ工程時に、電磁給水弁３と給水ポンプ２３が同期して駆動され、洗浄槽１７に自動的に洗浄水を供給することができる。【選択図】図１
2006110129.tif 000002
【特許請求の範囲】
【請求項１】
食器類を収納し洗浄する洗浄槽を内設した食器洗い機本体と、前記洗浄槽への給水を制御する電磁給水弁と、前記電磁給水弁と水道管とを接続して前記洗浄槽に洗浄水を供給する給水ホースとを有し、前記給水ホースの前記水道管側先端に前記電磁給水弁への制御信号で動作する給水ポンプを取付け可能とし、前記給水ポンプに前記制御信号を送るための制御信号接続部を前記食器洗い機本体に設けた食器洗い機。
【請求項２】
給水ポンプの入り、切り操作ができるようにした請求項１記載の食器洗い機。
【請求項３】
食器洗い機本体内又は外部に貯水タンクを配し、前記貯水タンクから給水ポンプを用いて洗浄槽に給水するようにした請求項１又は２に記載の食器洗い機。
【発明の詳細な説明】
【技術分野】
【０００１】
本発明は、洗浄ノズルより食器類に向けて洗浄水を噴射して食器類を洗浄する食器洗い機に関するものである。
【背景技術】
【０００２】
従来のこの種の食器洗い機について、図４を用いて説明する。
【０００３】
図４に示すように、食器洗い機本体１は、内部に洗浄槽２を設けており、この洗浄槽２内へ電磁給水弁３により水または湯を供給するようにしている。電磁給水弁３は給水ホース４に接続されており、給水ホース４の他端側は水道管の蛇口部分に設けた分岐水栓（図示せず）に接続されている。
【０００４】
洗浄槽２の底部に排水孔２ａを設け、この排水孔２ａの他側部に連通するように、モータ５によって駆動される洗浄ポンプ６が取り付けられ、この洗浄ポンプ６により洗浄水を洗浄槽２の内部に循環するよう構成している。すなわち、この循環は、洗浄水が排水孔２ａから洗浄ポンプ６に吸いこまれ、洗浄ポンプ６より洗浄槽２の内底部に設けた洗浄ノズル７に供給され、この洗浄ノズル７から噴射され、食器を洗浄した後、再び排水孔２ａに戻るという経路で行われる。
【０００５】
洗浄ノズル７と洗浄槽２の底部との間には、洗浄水加熱用のヒータ８が装備され、洗浄ノズル７の上方には、食器類９を整然と配置し、洗浄水が効果的に食器類９に噴射されるように構成された食器かご１０を設置して効率的に洗浄を行っている。食器かご１０には複数の移動用ローラ１１を配設して、移動可能にしている。
【０００６】
また、洗浄槽２は、前方が開口しており、その前面部には、枢支軸１２まわりに前方に開閉自在とした蓋１３を取り付けている。食器かご１０は、移動用ローラ１１により、開放した蓋１３の上部を食器洗い機本体１の前面外部へ引き出し可能になっている。排水ポンプ１４は、排水ホース１５を通して洗浄水を機外に排出するためのものである。
【０００７】
そして、食器洗い機本体１は、洗浄、すすぎのそれぞれの工程で所定量の洗浄水を電磁給水弁３を介して洗浄槽２内に給水し、それぞれの工程を終えた後、排水ポンプ１４で洗浄水を機外に排出するようにしている（例えば、特許文献１参照）。
【特許文献１】特開２００３−５１９号公報
【発明の開示】
【発明が解決しようとする課題】
【０００８】
しかしながら、上記従来の食器洗い機の構成によれば、水道管の蛇口部分に設けた分岐水栓と給水ホース４および電磁給水弁３には、常に水道管の１次水圧が加わるため、分岐水栓が耐圧構造を必要とするとともに、分岐水栓を水道管の蛇口部分に取り付けるには、水道管の１次水圧に耐えるような工事を必要とし、ユーザーが食器洗い機を購入しても工事のためにすぐに使えない不便さと、工事費用が必要になり、食器洗い機の普及を妨げる一つの要因となっていた。
【０００９】
本発明は、上記従来の課題を解決するもので、耐圧構造の分岐水栓が取り付けられないキッチンでも、工事をせずに簡単に設置、使用できる食器洗い機を提供することを目的としている。
【課題を解決するための手段】
【００１０】
上記従来の課題を解決するために、本発明の食器洗い機は、食器類を収納し洗浄する洗浄槽を内設した食器洗い機本体と、前記洗浄槽への給水を制御する電磁給水弁と、前記電磁給水弁と水道管とを接続して前記洗浄槽に洗浄水を供給する給水ホースとを有し、前記給水ホースの前記水道管側先端に前記電磁給水弁への制御信号で動作する給水ポンプを取付け可能とし、前記給水ポンプに前記制御信号を送るための制御信号接続部を前記食器洗い機本体に設けたもので、給水ポンプを給水ホース先端に取付け、制御信号接続部に接続するだけで、給水ポンプを用いて洗浄槽に洗浄およびすすぎ工程時に自動的に洗浄水を供給することができる。
【発明の効果】
【００１１】
本発明の食器洗い機は、給水ポンプを給水ホースに取付け、制御信号接続部に接続するだけで、耐圧構造の分岐水栓を取付けるような工事を必要とせず、洗浄およびすすぎ工程時に、給水ポンプを用いて洗浄槽に自動的に洗浄水を供給することができる。
【発明を実施するための最良の形態】
【００１２】
第１の発明は、食器類を収納し洗浄する洗浄槽を内設した食器洗い機本体と、前記洗浄槽への給水を制御する電磁給水弁と、前記電磁給水弁と水道管とを接続して前記洗浄槽に洗浄水を供給する給水ホースとを有し、前記給水ホースの前記水道管側先端に前記電磁給水弁への制御信号で動作する給水ポンプを取付け可能とし、前記給水ポンプに前記制御信号を送るための制御信号接続部を前記食器洗い機本体に設けたもので、給水ポンプを給水ホース先端に取付け、制御信号接続部に接続するだけで、給水ポンプを用いて洗浄槽に洗浄およびすすぎ工程時に自動的に洗浄水を供給することができる。
【００１３】
第２の発明は、特に、第１の発明の給水ポンプの入り、切り操作ができるようにしたもので、ユーザーが給水ポンプからの給水動作の切換えを任意におこなうことが可能となる。たとえば、当初分岐水栓取付け工事を不要として、給水ポンプを運転して、給水ポンプからの給水で食器洗い機を使用した後、分岐水栓の工事が可能となって、水道管に直接給水ホースが接続可能となった場合に、給水ポンプの運転を停止させることができる。
【００１４】
第３の発明は、特に、第１又は第２の発明の食器洗い機本体内又は外部に貯水タンクを配し、前記貯水タンクから給水ポンプを用いて洗浄槽に給水するようにしたもので、洗浄槽への給水を、食器洗い機本体の内部又は外部に設けた貯水タンクに貯水した清水を使用することが可能となる。また、所定の貯水タンクを使用し、その容積を確認できることで、洗浄あるいはすすぎ工程途中で使用水量が不足するような不具合を防止することができる。
【００１５】
以下、本発明の実施の形態について、図面を参照しながら説明する。なお、この実施の形態によって本発明が限定されるものではない。
【００１６】
（実施の形態１）
図１は、本発明の実施の形態１における食器洗い機の縦断面図、図２は、同食器洗い機の給水ホースと分岐水栓との接続を示す縦断面図、図３は、同食器洗い機の貯水タンク使用時の形態を示す斜視図である。なお、従来例と同一部分については、同一符号を付してその説明を省略する。
【００１７】
図１から図３に示すように、洗浄槽１７は、前方に開口部１７ａを有し、この開口部１７ａを扉１８により開閉するとともに、内部に食器類９を収容する食器かご１９を配置している。洗浄槽１７の背面には電磁給水弁３を設けている。図２に示すように電磁給水弁３には、給水ホース２０の一端が接続され、給水ホース２０の他端側は、水道管の分岐水栓２１に接続できるワンタッチカプラー状のジョイント２２の形状に構成されている。
【００１８】
また、図１に示すように給水ホース２０のジョイント２２の形状に対応した、すなわち分岐水栓２１と同一形状の接続部２３ａを有する給水ポンプ２３を設けている。この給水ポンプ２３は、食器洗い機本体１からの制御信号で動作するもので、食器洗い機本体１の背面に設けた制御信号接続部２４に給水ポンプ２３の通電用コード２５を接続する事により、食器洗い機本体１に内蔵された制御回路（図示せず）からの制御信号が制御信号接続部２４、通電用コード２を経て給水ポンプ２３に送られ、給水ポンプ２３の運転、停止制御を可能としている。
【００１９】
回路構成的には、電磁給水弁３と食器洗い機本体１に設けた制御信号接続部２４とが並列に接続されており、給水ポンプ２３の通電用コード２５を制御信号接続部２４に接続した場合には電磁給水弁３と給水ポンプ２３とを同時に運転、停止を行なうように構成されている。
【００２０】
図３に示すように、給水ポンプ２３は食器洗い機本体１から分離され、シンク２７の中に置かれた貯水タンク２６内に配置されている。貯水タンク２６への給水は、ユーザーが水道管の蛇口２８を操作することで簡単に行なうことができる。貯水タンク２６の容積は、食器洗い機本体１の洗浄からすすぎに至る工程で使用する水の量を確保した容積としている。
【００２１】
また、食器洗い機本体１の前面には、給水ポンプ２３のＯＮ、ＯＦＦを切換えるスイッチ２９が設けられている。
【００２２】
上記構成における食器洗い機の動作、作用を以下に説明する。
【００２３】
食器かご１９に食器類９を配置して洗浄槽１７内に収容し、運転を開始する。ユーザーは、水道管への分岐水栓取付けの工事を行なっている場合は、給水ホース２０を分岐水栓２１に取付けることにより、水道管から直接電磁給水弁３を介して洗浄槽１７への給水が可能となる。また、ユーザーが水道管への分岐水栓取り付けを行なっていない場合には、食器洗い機本体１の背面に設けた制御信号接続部２４に給水ポンプ２３の通電用コード２５を接続し、給水ポンプ２３を、洗浄水をためた貯水タンク２６に配置することで、貯水タンク２６に貯めた洗浄水を使用しての食器洗い機本体１の運転が可能となる。
【００２４】
食器洗い機本体１に内蔵された制御回路からの制御信号で電磁給水弁３が開き、水道管から直接あるいは、貯水タンク２６の洗浄水が給水ポンプ２３により洗浄槽１７内に所定量給水された後、洗浄ポンプ６を駆動する。これにより洗浄ポンプ６で加圧された洗浄水が、洗浄ノズル７から食器かご１９内の食器類９に向けて噴射され、食器類９に付着した汚れを洗浄する。
【００２５】
本実施の形態における給水の仕様は、前記したように、水道管から直接給水することも、貯水タンク２６から給水ポンプ２３を使用して給水することも可能である。すなわち、ユーザーは、分岐水栓の取付けの工事の選択が可能であり、当初は分岐水栓の工事を行なわず、給水ポンプ２３を使用して食器洗い機を運転して、後日、分岐水栓の工事が可能になった時に、給水ホース２０から給水ポンプ２３を取り外し、給水ホース２０を分岐水栓に取付けて、ユーザーが貯水タンク２６に貯水する手間を省いて使用することも可能になる。
【００２６】
このとき、スイッチ２９をＯＦＦにすることで、給水ポンプ２３への通電が行なわれず、制御信号接続部２４から給水ポンプ２３の通電用コードを取り外しても通電が遮断されているため問題を生じることはない。
【００２７】
以上のように、本実施の形態によれば、洗浄槽１７への給水を制御する電磁給水弁３と、この電磁給水弁３と水道管とを接続して洗浄槽１７に洗浄水を供給する給水ホース２０とを有し、この給水ホース２０の先端に前記電磁給水弁３への制御信号で動作する給水ポンプ２３を取付け可能とし、前記給水ポンプ２３への制御信号接続部２４を前記食器洗い機本体１に設けたものである。これにより、給水ポンプ２３を給水ホース２０先端に取付け、給水ポンプ２３への制御信号接続部２４を接続することで、給水ポンプ２３を用いて洗浄槽１７に洗浄およびすすぎ工程時に自動的に洗浄水を供給することが可能となる。
【００２８】
なお、上記実施の形態では、貯水タンク２６は、食器洗い機本体１と分離されているが、食器洗い機本体１に内蔵或いは，食器洗い機本体１の外郭に一体的に取り付けても良い。
【産業上の利用可能性】
【００２９】
以上のように、本発明にかかる食器洗い機は、特に工事をすることなく、給水ポンプを給水ホース先端に取付け、制御信号接続部に接続するだけで、洗浄槽に自動的に洗浄水を供給することができるもので、特にキッチンのワークトップに載置して使用する食器洗い機として有用である。
【図面の簡単な説明】
【００３０】
【図１】本発明の実施の形態１における食器洗い機の縦断面図
【図２】同食器洗い機の給水ホースと分岐水栓との接続を示す縦断面図
【図３】同食器洗い機の貯水タンク使用時形態を示す斜視図
【図４】従来の食器洗い機の断面図
【符号の説明】
【００３１】
１  食器洗い機本体
３  電磁給水弁
９  食器類
１７  洗浄槽
２０  給水ホース
２３  給水ポンプ
２４  制御信号接続部
【図１】
2006110129.tif 000003
【図２】
2006110129.tif 000004
【図３】
2006110129.tif 000005
【図４】
2006110129.tif 000006